(57)【要約】【課題】 使用回数が増えても構成部品の破損が生じにくい構造にすると共に、被覆層の剥離除去時に電線コマの刃が欠けたり、磨耗したり、皮剥ぎ工具本体の変形につながることのない電線中間部の皮剥ぎ工具を提供する。【解決手段】 フレーム本体１１と、このフレーム本体１１内で回転する一対のコマホルダー４，５と、このコマホルダー４，５に固定され電線の被覆を剥ぎ取る刃７１を有する電線コマ７と、コマホルダー４，５を回転させる回転駆動体３とを有し、電線中間部にフレーム本体１１を設置した状態で回転駆動体３の駆動軸が挿入された電線の配設方向に対して垂直方向に延びるように設置されると共に作業時に電線の配設方向に若干傾斜させることができるようにした。【選択図】図１
2011223875.tif 000002
【特許請求の範囲】
【請求項１】
電線中間部の皮剥ぎを行う工具であって、フレーム本体と、該フレーム本体内で回転する一対のコマホルダーと、該コマホルダーに固定され電線の被覆を剥ぎ取る刃を有する電線コマと、前記コマホルダーを回転させる回転駆動体とを有し、電線中間部に前記フレーム本体を設置した状態で回転駆動体の駆動軸が挿入された電線の配設方向に対して垂直方向に延びるように設置されると共に作業時に電線の配設方向に若干傾斜させることができることを特徴とする電線中間部の皮剥ぎ工具。
【請求項２】
回転駆動体の駆動軸の傾斜はフレーム本体の駆動軸部分に隙間を形成し、該隙間に弾性体を設置することによりなされることを特徴とする請求項１に記載の電線中間部の皮剥ぎ工具。
【請求項３】
電線コマはコマホルダーに着脱自在に固定されていることを特徴とする請求項１又は２に記載の電線中間部の皮剥ぎ工具。
【請求項４】
一対のコマホルダーは枢軸を中心にして開閉して電線中間部を挿入できる開口部を有するものであって、この開閉は一方のコマホルダーに設置されたノックピンに、他方のコマホルダーに設置されたフックが係止又は係止解除することによってなされることを特徴とする請求項１乃至３のいずれか１項に記載の電線中間部の皮剥ぎ工具。
【発明の詳細な説明】
【技術分野】
【０００１】
本発明は、絶縁電線の中間部で一定長の被覆層を剥離除去するために用いる電線中間部の皮剥ぎ工具に関するものである。
【背景技術】
【０００２】
近年、電気工事の活線作業化が求められており、絶縁電線の被覆層を剥離除去する作業については作業者が電線等に触れることなく、作業が遂行できる活線作業用の皮剥ぎ工具が必要とされている。
この皮剥ぎ工具の一例としては、電線挿通溝を形成した一対の半割体を開閉して電線を挿入し、一対の半割体を回転して電線挿通溝に取付けられた切削刃によって被覆層を剥離除去するものが知られている（特許文献１参照）。
【特許文献１】実開昭６３−１８７５１５号公報
【発明の開示】
【発明が解決しようとする課題】
【０００３】
しかしながら、上記考案に係る皮剥ぎ工具は使用回数が増え消耗度が増すと、一対の半割体が回転している被覆層の剥離除去時に半割体の開閉部分に隙間が生じ、軸受等の皮剥ぎ工具を構成する部品を破損してしまう恐れがあった。
【０００４】
また、作業時に皮剥ぎ工具の操作軸は電線に対して垂直下方に延びているため、この操作軸に絶縁操作棒を連結して作業する作業者の作業空間は限定されており、電線の皮剥ぎ作業はしづらいものとなっていた。
本発明は上記点に鑑み、使用回数が増えても構成部品の破損が生じにくい構造にすると共に、被覆層の剥離除去時に電線コマの刃が欠けたり、磨耗したり、皮剥ぎ工具本体の変形につながることのない電線中間部の皮剥ぎ工具を提供することを目的とする。
【課題を解決するための手段】
【０００５】
請求項１の発明は、電線中間部の皮剥ぎを行う工具であって、フレーム本体と、該フレーム本体内で回転する一対のコマホルダーと、該コマホルダーに固定され電線の被覆を剥ぎ取る刃を有する電線コマと、前記コマホルダーを回転させる回転駆動体とを有し、電線中間部に前記フレーム本体を設置した状態で回転駆動体の駆動軸が挿入された電線の配設方向に対して垂直方向に延びるように設置されると共に作業時に電線の配設方向に若干傾斜させることができることに特徴を有する。
【０００６】
請求項２の発明は、請求項１の発明において、回転駆動体の駆動軸の傾斜はフレーム本体の駆動軸部分に隙間を形成し、該隙間に弾性体を設置することによりなされることに特徴を有する。
【０００７】
請求項３の発明は、請求項１又は２の発明において、電線コマはコマホルダーに着脱自在に固定されていることに特徴を有する。
【０００８】
請求項４の発明は、請求項１乃至３のいずれか１項の発明において、一対のコマホルダーは枢軸を中心にして開閉して電線中間部を挿入できる開口部を有するものであって、この開閉は一方のコマホルダーに設置されたノックピンに、他方のコマホルダーに設置されたフックが係止又は係止解除することによってなされることに特徴を有する。
【発明の効果】
【０００９】
請求項１の発明は、電線中間部の皮剥ぎを行う工具であって、フレーム本体と、該フレーム本体内で回転する一対のコマホルダーと、該コマホルダーに固定され電線の被覆を剥ぎ取る刃を有する電線コマと、前記コマホルダーを回転させる回転駆動体とを有し、電線中間部に前記フレーム本体を設置した状態で回転駆動体の駆動軸が挿入された電線の配設方向に対して垂直方向に延びるように設置されると共に作業時に電線の配設方向に若干傾斜させることができることに特徴を有するので、作業空間が拡がるため、電線の皮剥ぎを行なう作業者の作業性が向上すると共に、作業時に電線コマの刃が欠けたり、磨耗したり、皮剥ぎ工具本体の変形につながることを防ぐことができる。
【００１０】
請求項２の発明は、請求項１の発明において、回転駆動体の駆動軸の傾斜はフレーム本体の駆動軸部分に隙間を形成し、該隙間に弾性体を設置することによりなされることに特徴を有するので、弾性体の弾性力によって、通常は電線の配設方向に対して垂直方向に駆動軸を延ばし、作業時に電線の配設方向に容易に若干の傾斜をさせることができる。
【００１１】
請求項３の発明は、請求項１又は２の発明において、電線コマはコマホルダーに着脱自在に固定されていることに特徴を有するので、予め複数の電線コマを準備しておけば直径の異なる様々な電線に対応することができる。
【００１２】
請求項４の発明は、請求項１乃至３のいずれか１項の発明において、一対のコマホルダーは枢軸を中心にして開閉して電線中間部を挿入できる開口部を有するものであって、この開閉は一方のコマホルダーに設置されたノックピンに、他方のコマホルダーに設置されたフックが係止又は係止解除することによってなされることに特徴を有するので、簡易な構造によって、従来の電線中間部の皮剥ぎ工具と比較して部品点数を減らすことができ、製造コストを下げることができる。
【発明を実施するための最良の形態】
【００１３】
次に、本発明の実施形態を図面に基づいて説明する。図１は本発明に係る皮剥ぎ工具の機構を示す一部断面正面図であり、図２は一部断面左側面図である。また、図３はコマホルダーが開いた状態の皮剥ぎ工具の正面図であり、図４はコマホルダーが閉じた状態の皮剥ぎ工具の正面図である。この図に示すように、皮剥ぎ工具１０を電動又は手動で駆動させるための駆動源（図示せず。）と連結するための連結金具１内部から連結軸２が下方に延び、この連結軸２の上方は駆動かさ歯車３が取り付けられている。
ここで、連結金具１の上方に位置し、駆動かさ歯車３を覆うように連結ホルダー８が設置されており、この連結ホルダー８の内部にはボールベアリング９が駆動かさ歯車３と連結軸２との連結部分の外周に設置されている。さらに、連結ホルダー８と連結金具１との間には隙間１３が連結軸２の周囲に形成されており、この隙間１３の位置で連結ホルダー８と連結金具１とを連結するように圧縮スプリング１２が設置されている。
そして、上記駆動かさ歯車３は、コマホルダー４及びコマホルダー５の周囲に各々固定されている被動かさ歯車４１及び被動かさ歯車５１を回転させることによって、コマホルダー４とコマホルダー５とが結合した状態又は結合が解除された状態となるのである。
また、コマホルダー４及びコマホルダー５は後述する電線の皮を剥ぐために取付けられた刃を有する電線コマを収容する仕組みとなっている。
また、コマホルダー４にはフック４２が取付けられており、これに対応する位置のコマホルダー５にはノックピン５２が取付けられている。ここで、コマホルダー４とコマホルダー５とは枢軸６によって皮剥ぎ工具のフレーム本体１１に連結されており、この枢軸６が図面上、時計回りするように駆動かさ歯車３を回転させると、コマホルダー５は図面上、時計回りに回転する。また、コマホルダー４は図面上、時計回りに回転しつつ、コマホルダー４に取り付けられたカムフォロア４３が皮剥ぎ工具のフレーム本体１１に形成されたカム溝１１１に案内されて摺動するので、コマホルダー４の先端４５とコマホルダー５の先端５５とが当接し、上述したノックピン５２にフック４２が係止されて、コマホルダー４とコマホルダー５とが結合固定されて円形状となるのである。
この円形状となったコマホルダー４とコマホルダー５とを駆動かさ歯車３によって図面上、時計回りに所定回数回転させることによって、コマホルダー４及びコマホルダー５の内部に固定された電線コマの刃が電線の皮を所定の長さ分だけ剥ぎ取るのである。
一方、コマホルダー４とコマホルダー５との結合を解除するには、駆動かさ歯車３によってコマホルダー４とコマホルダー５とを図面上、反時計回りに回転させればよい。すると、フック４２をノックピン５２方向に付勢していたフック４４が持ち上がることによって、ノックピン５２との係合が解除され、コマホルダー４とコマホルダー５との結合が解除されるので、図１に示すようにコマホルダー４の先端４５とコマホルダー５の先端５５との間に開口が形成され、電線コマに固定されていた電線を取り出すことができるのである。
図５及び図６は電線コマの一例を示す図である。上述したとおり、電線コマ７，７ａはコマホルダー４及びコマホルダー５に収容されるものであるが、電線の種類、例えば単線であるか、撚線であるか、或いは電線の直径によって様々な電線コマ７，７ａを選択することができるようになっている。この電線コマ７，７ａの内部には刃７１，７１ａが取付けられていて、電線の被覆が剥ぎ取られるのである。
次に、本発明に係る皮剥ぎ工具を使用した電線の皮剥ぎ手順について説明する。
まず、皮剥ぎ工具１０のコマホルダー４及びコマホルダー５に電線種別毎の電線コマ７を装着し、コマホルダー４及びコマホルダー５に取付けられているコマ押え４６及びコマ押え５６で固定すると共に、皮剥ぎ工具１０の下端にある連結軸２に絶縁操作棒（図示せず）を連結する。そして、絶縁操作棒のハンドルを右回転させると、この回転力は、連結軸２、駆動かさ歯車３及び被動かさ歯車４１及び被動かさ歯車５１に伝達される。
したがって、コマホルダー５が図面上、時計回りに回転し、コマホルダー４は時計回りに回転しつつ、カムフォロア４３によりカム溝１１１に案内されて移動し、フック４２はノックピン５２に係止され、コマホルダー４及びコマホルダー５が連結されて円形状として一体となりつつ、時計回りの回転が継続されるのである。ここで、コマホルダー４及びコマホルダー５に装着された電線コマ７の刃７１によって電線の被覆が剥ぎ取られることとなる。
ここで、電線の中間部の被覆剥ぎ取り時に作業者は上述した絶縁操作棒を連結軸２に連結した状態で作業をするのであるが、絶縁操作棒を電線に対して垂直に保ちながら回転させる作業は非常に難しく、電線の配設方向に絶縁操作棒が多少傾くことがある。この場合において従来は、皮剥ぎ工具のフレーム本体１１が電線側に傾くので、電線コマ７の刃７１が欠けたり、磨耗したり、皮剥ぎ工具のフレーム本体１１が変形したりすることにつながっていた。しかし、本発明の皮剥ぎ工具では上述したように、連結ホルダー８と連結金具１との間には隙間１３が連結軸２の周囲に形成され、この隙間１３の位置で連結ホルダー８と連結金具１とを連結するように圧縮スプリング１２が設置されている構成としているので、絶縁操作棒が多少傾いた場合でも、この力は圧縮スプリング１２に吸収され、皮剥ぎ工具のフレーム本体１１には伝達されないので、フレーム本体１１が電線側に傾くことがなく、電線コマ７の刃７１が欠けたり、磨耗したり、皮剥ぎ工具のフレーム本体１１が変形したりすることはないのである。
【００１４】
また、コマホルダー４及びコマホルダー５が連結された状態において、絶縁操作棒のハンドルを左回転した場合には、この回転力は、連結軸２、駆動かさ歯車３及び被動かさ歯車４１及び被動かさ歯車５１に伝達される。したがって、コマホルダー４及びコマホルダー５は反時計回りに回転し、フック４２をノックピン５２方向に付勢していたフック４４が持ち上げることによって、フック４２とノックピン５２との係合が解除される。そして、コマホルダー４はカムフォロア４３により皮剥ぎ工具のフレーム本体１１内形状に沿って開き、フレーム本体１１内形状終端で反時計回りの回転は停止するのである。
【００１５】
尚、本発明の趣旨を逸脱しない範囲において、種々の実施形態をとることができることは言うまでもない。上記実施形態においては皮剥ぎ工具１０の連結軸２に絶縁操作棒を連結して、手動で皮剥ぎを行う場合について説明しているが、これに限定されるものではなく、連結軸２に電動で回転駆動させる絶縁回転工具を連結してもよいものである。
【図面の簡単な説明】
【００１６】
【図１】本発明に係る皮剥ぎ工具の機構を示す一部断面正面図である。
【図２】本発明に係る皮剥ぎ工具の機構を示す一部断面左側面図である。
【図３】コマホルダーが開いた状態の皮剥ぎ工具の正面図である。
【図４】コマホルダーが閉じた状態の皮剥ぎ工具の正面図である。
【図５】電線コマの一例を示す図である。
【図６】電線コマの他例を示す図である。
【符号の説明】
【００１７】
１ 連結金具
２ 連結軸
３ 駆動かさ歯車
４，５ コマホルダー
６ 枢軸
７ 電線コマ
８ 連結ホルダー
９ ボールベアリング
１０ 皮剥ぎ工具
１１ フレーム本体
１２ 圧縮スプリング
１３ 隙間
【図１】
2011223875.tif 000003
【図２】
2011223875.tif 000004
【図３】
2011223875.tif 000005
【図４】
2011223875.tif 000006
【図５】
2011223875.tif 000007
【図６】
2011223875.tif 000008
【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
電線中間部の皮剥ぎを行う工具であって、
フレーム本体と、
該フレーム本体内で回転する一対のコマホルダーと、
該コマホルダーに固定され、電線の被覆を剥ぎ取る刃を有する電線コマと、
前記コマホルダーを回転させる駆動かさ歯車と、
電線中間部に前記フレーム本体を挿入した状態で駆動かさ歯車の駆動軸である該かさ歯車のボス部と、
該ボス部内に挿入され、前記電線の配設方向に対して垂直方向に延びるように設置された連結軸とを備え、
前記連結軸は、前記駆動軸に対して回転駆動力は伝えるが、駆動軸の軸方向に対して一定範囲内で傾斜可能とされ、
前記駆動かさ歯車を回転可能に収容した連結ホルダーと、前記フレーム本体を支持し、連結軸を回動させるための絶縁操作棒を受け入れる連結金具との間には、隙間が形成されていると共に、該隙間内に、該隙間を全周にわたって維持するための圧縮スプリングがその付勢力を及ぼした状態で複数装着されていることを特徴とする電線中間部の皮剥ぎ工具。
【手続補正２】
【補正対象書類名】明細書
【補正対象項目名】全文
【補正方法】変更
【補正の内容】
【発明の詳細な説明】
【技術分野】
【０００１】
本発明は、絶縁電線の中間部で一定長の被覆層を剥離除去するために用いる電線中間部の皮剥ぎ工具に関するものである。
【背景技術】
【０００２】
近年、電気工事の活線作業化が求められており、絶縁電線の被覆層を剥離除去する作業については作業者が電線等に触れることなく、作業が遂行できる活線作業用の皮剥ぎ工具が必要とされている。
この皮剥ぎ工具の一例としては、電線挿通溝を形成した一対の半割体を開閉して電線を挿入し、一対の半割体を回転して電線挿通溝に取付けられた切削刃によって被覆層を剥離除去するものが知られている（特許文献１参照）。
【特許文献１】実開昭６３−１８７５１５号公報
【発明の開示】
【発明が解決しようとする課題】
【０００３】
（削除）
【０００４】
しかしながら、上記考案に係る皮剥ぎ工具は、作業時に皮剥ぎ工具の操作軸は電線に対して垂直下方に延びているため、この操作軸に絶縁操作棒を連結して作業する作業者の作業空間は限定されており、電線の皮剥ぎ作業はしづらいものとなっていた。
本発明は上記点に鑑み、被覆層の剥離除去時に電線の皮剥ぎ作業がし易い電線中間部の皮剥ぎ工具を提供することを目的とする。
【課題を解決するための手段】
【０００５】
請求項１の発明は、電線中間部の皮剥ぎを行う工具であって、フレーム本体と、該フレーム本体内で回転する一対のコマホルダーと、該コマホルダーに固定され、電線の被覆を剥ぎ取る刃を有する電線コマと、前記コマホルダーを回転させる駆動かさ歯車と、電線中間部に前記フレーム本体を挿入した状態で駆動かさ歯車の駆動軸である該かさ歯車のボス部と、該ボス部内に挿入され、前記電線の配設方向に対して垂直方向に延びるように設置された連結軸とを備え、前記連結軸は、前記駆動軸に対して回転駆動力は伝えるが、駆動軸の軸方向に対して一定範囲内で傾斜可能とされ、前記駆動かさ歯車を回転可能に収容した連結ホルダーと、前記フレーム本体を支持し、連結軸を回転させるための絶縁操作棒を受け入れる連結金具との間には、隙間が形成されていると共に、該隙間内に、該隙間を全周にわたって維持するための圧縮スプリングがその付勢力を及ぼした状態で複数装着されていることに特徴を有する。
【０００６】
（削除）
【０００７】
（削除）
【０００８】
（削除）
【発明の効果】
【０００９】
請求項１の発明は、電線中間部の皮剥ぎを行う工具であって、フレーム本体と、該フレーム本体内で回転する一対のコマホルダーと、該コマホルダーに固定され、電線の被覆を剥ぎ取る刃を有する電線コマと、前記コマホルダーを回転させる駆動かさ歯車と、電線中間部に前記フレーム本体を挿入した状態で駆動かさ歯車の駆動軸である該かさ歯車のボス部と、該ボス部内に挿入され、前記電線の配設方向に延びるように設置された連結軸とを備え、前記連結軸は、前記駆動軸に対して回転駆動力は伝えるが、駆動軸の軸方向に対して一定範囲内で傾斜可能とされ、前記駆動かさ歯車を回転可能に収容した連結ホルダーと、前記フレーム本体を支持し、連結軸を回動させるための絶縁操作棒を受け入れる連結金具との間には、隙間が形成されていると共に、該隙間内に、該隙間を全周にわたって維持するための圧縮スプリングがその付勢力を及ぼした状態で複数装着されていることに特徴を有するので、作業空間が拡がるため、電線の皮剥ぎを行なう作業者の作業性が向上する。
【００１０】
（削除）
【００１１】
（削除）
【００１２】
（削除）
【発明を実施するための最良の形態】
【００１３】
次に、本発明の実施形態を図面に基づいて説明する。図１は本発明に係る皮剥ぎ工具の機構を示す一部断面正面図であり、図２は一部断面左側面図である。また、図３はコマホルダーが開いた状態の皮剥ぎ工具の正面図であり、図４はコマホルダーが閉じた状態の皮剥ぎ工具の正面図である。この図に示すように、皮剥ぎ工具１０を電動又は手動で駆動させるための駆動源（図示せず。）と連結するための連結金具１内部から連結軸２が下方に延び、この連結軸２の上方には、下方にボス部（符号なし）を有する駆動かさ歯車３が取り付けられ、連結軸２からの駆動力はこのボス部を経て、駆動かさ歯車３に伝達されるようになっている。
ここで、連結金具１の上方に位置し、駆動かさ歯車３を覆うように連結ホルダー８が設置されており、この連結ホルダー８の内部にはボールベアリング９が駆動かさ歯車３の上記ボス部と連結軸２との間に設置されている。さらに、連結ホルダー８と連結金具１との間には隙間１３が連結軸２の周囲に形成されており、この隙間１３の位置で連結ホルダー８と連結金具１とを連結するように圧縮スプリング１２が複数設置されている。
そして、上記駆動かさ歯車３は、コマホルダー４及びコマホルダー５の周囲に各々固定されている被動かさ歯車４１及び被動かさ歯車５１を回転させることによって、コマホルダー４とコマホルダー５とが結合した状態又は結合が解除された状態となるのである。
また、コマホルダー４及びコマホルダー５は後述する電線の皮を剥ぐために取付けられた刃を有する電線コマを収容する仕組みとなっている。
また、コマホルダー４にはフック４２が取付けられており、これに対応する位置のコマホルダー５にはノックピン５２が取付けられている。ここで、コマホルダー４とコマホルダー５とは枢軸６によって皮剥ぎ工具のフレーム本体１１に連結されており、この枢軸６が図面上、時計回りするように駆動かさ歯車３を回転させると、コマホルダー５は図面上、時計回りに回転する。また、コマホルダー４は図面上、時計回りに回転しつつ、コマホルダー４に取り付けられたカムフォロア４３が皮剥ぎ工具のフレーム本体１１に形成されたカム溝１１１に案内されて摺動するので、コマホルダー４の先端４５とコマホルダー５の先端５５とが当接し、上述したノックピン５２にフック４２が係止されて、コマホルダー４とコマホルダー５とが結合固定されて円形状となるのである。
この円形状となったコマホルダー４とコマホルダー５とを駆動かさ歯車３によって図面上、時計回りに所定回数回転させることによって、コマホルダー４及びコマホルダー５の内部に固定された電線コマの刃が電線の皮を所定の長さ分だけ剥ぎ取るのである。
一方、コマホルダー４とコマホルダー５との結合を解除するには、駆動かさ歯車３によってコマホルダー４とコマホルダー５とを図面上、反時計回りに回転させればよい。すると、フック４２をノックピン５２方向に付勢していたフック４４が持ち上がることによって、ノックピン５２との係合が解除され、コマホルダー４とコマホルダー５との結合が解除されるので、図１に示すようにコマホルダー４の先端４５とコマホルダー５の先端５５との間に開口が形成され、電線コマに固定されていた電線を取り出すことができるのである。
図５及び図６は電線コマの一例を示す図である。上述したとおり、電線コマ７、７ａはコマホルダー４及びコマホルダー５に収容されるものであるが、電線の種類、例えば単線であるか、撚線であるか、或いは電線の直径によって様々な電線コマ７、７ａを選択することができるようになっている。この電線コマ７、７ａの内部には刃７１、７１ａが取付けられていて、電線の被覆が剥ぎ取られるのである。
次に、本発明に係る皮剥ぎ工具を使用した電線の皮剥ぎ手順について説明する。
まず、皮剥ぎ工具１０のコマホルダー４及びコマホルダー５に電線種別毎の電線コマ７を装着し、コマホルダー４及びコマホルダー５に取付けられているコマ押え４６及びコマ押え５６で固定すると共に、皮剥ぎ工具１０の下端にある連結軸２に絶縁操作棒（図示せず）を連結する。そして、絶縁操作棒のハンドルを右回転させると、この回転力は、連結軸２、駆動かさ歯車３及び被動かさ歯車４１及び被動かさ歯車５１に伝達される。
したがって、コマホルダー５が図面上、時計回りに回転し、コマホルダー４は時計回りに回転しつつ、カムフォロア４３によりカム溝１１１に案内されて移動し、フック４２はノックピン５２に係止され、コマホルダー４及びコマホルダー５が連結されて円形状として一体となりつつ、時計回りの回転が継続されるのである。ここで、コマホルダー４及びコマホルダー５に装着された電線コマ７の刃７１によって電線の被覆が剥ぎ取られることとなる。
ここで、電線の中間部の被覆剥ぎ取り時に作業者は上述した絶縁操作棒を連結軸２に連結した状態で作業をするのであるが、絶縁操作棒を電線に対して垂直に保ちながら回転させる作業は非常に難しく、電線の配設方向に絶縁操作棒が多少傾くことがある。この場合において従来は、皮剥ぎ工具のフレーム本体１１が電線側に傾くので、電線コマ７の刃７１が欠けたり、磨耗したり、皮剥ぎ工具のフレーム本体１１が変形したりすることにつながっていた。しかし、本発明の皮剥ぎ工具では上述したように、連結ホルダー８と連結金具１との間には隙間１３が連結軸２の周囲に形成され、この隙間１３の位置で連結ホルダー８と連結金具１とを連結するように圧縮スプリング１２が複数設置されている構成としているので、絶縁操作棒が多少傾いた場合でも、この力は圧縮スプリング１２の付勢力に吸収され、皮剥ぎ工具のフレーム本体１１には伝達されないので、フレーム本体１１が電線側に傾くことがなく、電線コマ７の刃７１が欠けたり、磨耗したり、皮剥ぎ工具のフレーム本体１１が変形したりすることはないのである。
【００１４】
また、コマホルダー４及びコマホルダー５が連結された状態において、絶縁操作棒のハンドルを左回転した場合には、この回転力は、連結軸２、駆動かさ歯車３及び被動かさ歯車４１及び被動かさ歯車５１に伝達される。したがって、コマホルダー４及びコマホルダー５は反時計回りに回転し、フック４２をノックピン５２方向に付勢していたフック４４が持ち上げることによって、フック４２とノックピン５２との係合が解除される。そして、コマホルダー４はカムフォロア４３により皮剥ぎ工具のフレーム本体１１内形状に沿って開き、フレーム本体１１内形状終端で反時計回りの回転は停止するのである。
【００１５】
尚、本発明の趣旨を逸脱しない範囲において、種々の実施形態をとることができることは言うまでもない。上記実施形態においては皮剥ぎ工具１０の連結軸２に絶縁操作棒を連結して、手動で皮剥ぎを行う場合について説明しているが、これに限定されるものではなく、連結軸２に電動で回転駆動させる絶縁回転工具を連結してもよいものである。
【図面の簡単な説明】
【００１６】
【図１】本発明に係る皮剥ぎ工具の機構を示す一部断面正面図である。
【図２】本発明に係る皮剥ぎ工具の機構を示す一部断面左側面図である。
【図３】コマホルダーが開いた状態の皮剥ぎ工具の正面図である。
【図４】コマホルダーが閉じた状態の皮剥ぎ工具の正面図である。
【図５】電線コマの一例を示す図である。
【図６】電線コマの他例を示す図である。
【符号の説明】
【００１７】
１ 連結金具
２ 連結軸
３ 駆動かさ歯車
４、５ コマホルダー
６ 枢軸
７ 電線コマ
８ 連結ホルダー
９ ボールベアリング
１０ 皮剥ぎ工具
１１ フレーム本体
１２ 圧縮スプリング
１３ 隙間